(57)【特許請求の範囲】
【請求項１】
信号網に接続された移設元のロケーションレジスタに記憶されている加入者データを、移設先のロケーションレジスタに転送する加入者データ移設装置であって、
前記移設先のロケーションレジスタは、加入者の電話番号毎または番号帯と、移設元であるロケーションレジスタとを関係付ける信号網アドレスと、該信号網アドレスに基づいて移設元ロケーションレジスタをアクセスする手段と、該移設元ロケーションレジスタから得た加入者データを記憶する手段とを具備したことを特徴とする加入者データ移設装置。
【請求項２】
請求項１記載の加入者データ移設装置であって、
該加入者データ移設装置は前記信号網に接続された交換機からの加入者データ読出要求または更新要求に従って加入者データの移設を行うことを特徴とする加入者データ移設装置。
【請求項３】
請求項２記載の加入者データ移設装置であって、
前記交換機は加入者の電話番号からアクセス先のロケーションレジスタを決定するデータテーブルを有し、該データテーブルのアクセス先のロケーションレジスタが前記移設先のロケーションレジスタに書き替えられるようにしたことを特徴とする加入者データ移設装置。
【請求項４】
請求項１記載の加入者データ移設装置であって、
前記移設先のロケーションレジスタは、加入者毎に、移設する行為が未実施であるかあるいは既に実施されたかどうかを表すフラグを付加するようにしたことを特徴とする加入者データ移設装置。
【請求項５】
請求項４記載の加入者データ移設装置であって、
前記移設先のロケーションレジスタは、前記移設元のロケーションレジスタから加入者データが存在しない旨の通知を受けた時に、移設済みを表すフラグを立てるようにしたことを特徴とする加入者データ移設装置。
【請求項６】
請求項４または５記載の加入者データ移設装置であって、
前記移設先のロケーションレジスタは、前記移設済みを表すフラグが立っている加入者データを要求された場合に、加入者が存在しないとみなすことを特徴とする加入者データ移設装置。
【請求項７】
移設元のロケーションレジスタに記憶されている加入者データを移設先のロケーションレジスタへ移設する加入者データ移設方法であって、
該移設先のロケーションレジスタは加入者データの読出要求または更新要求がある毎に移設元のロケーションレジスタをアクセスし、該移設元のロケーションレジスタから受信した加入者データを自身の記憶装置に記憶するようにしたことを特徴とする加入者データ移設方法。
【請求項８】
請求項７記載の加入者データ移設方法において、
前記移設先のロケーションレジスタは、網リソースの空き時間を使用して、自律的に移設元のロケーションレジスタにアクセスし、該移設元のロケーションレジスタから受信した加入者データを自身の記憶装置に記憶するようにしたことを特徴とする加入者データ移設方法。
【請求項９】
請求項７または８記載の加入者データ移設方法において、
該加入者データ移設方法が公衆移動体通信網に適用されるようにしたことを特徴とする加入者データ移設方法。
【請求項１０】
請求項７記載の加入者データ移設方法において、
前記移設先のロケーションレジスタに加入者データ移設機能を持たせ、移設元のロケーションレジスタに何らの新しい機能を付与しなくても、加入者データの移設ができるようにしたことを特徴とする加入者データ移設方法。
【発明の詳細な説明】
【０００１】
【発明の属する技術分野】
この発明は加入者データ移設装置および方法に関し、特にロケーションレジスタ間において、簡単な方法でかつ通信サービスを停止することなく加入者データを移設できるようにした加入者データ移設装置および方法に関する。
【０００２】
【従来の技術】
加入者データをロケーションレジスタ間で移設する従来の方法として、次のようなものがある。第１の方法は加入者データをまとめて転送する方法であり、第２の方法は加入者データを１件ずつ転送する方法である。
【０００３】
前記第１の方法は、移設を実施するための標準化されたアプリケーション手順等はなく、ロケーションレジスタ装置がもつ固有の手順により、移設元から移設先へ、多数の加入者データをまとめて転送するようにしている。一方、前記第２の方法は、ＴＴＣ標準ＪＪ−７０．１０第３版に規定されている方法を用いて、移設元から移設先へ、多数の加入者データを１件ずつ転送するようにしている。なお、ＴＴＣ標準ＪＪ−７０．１０第３版には、ローミング(roaming) 先の網において、移動体加入者の加入者データを一時的に記憶するゲートウェイロケーションレジスタ（ＧＬＲ）間で、加入者データを１件ずつ転送するための手順が規定されている。
【０００４】
【発明が解決しようとする課題】
しかしながら、前記した第１および第２の移設方法には、次のような問題点があった。すなわち、一般的には、データの転送手順は装置のアーキテクチャやデータ構造に依存するため、前記第１の移設方法では、移設元と移設先のそれぞれのロケーションレジスタ装置が同一の移設手順をもつ必要がある。このため、異なる機種間での加入者データの移設は難しいという問題があった。次に、加入者データの移設を行っている間は、移動体通信用の交換機から加入者データにアクセスできないので、通信サービスが中断するという問題があった。
【０００５】
次に、前記の第２の方法では、移動体通信加入者の契約データを記憶するホームロケーションレジスタ（ＨＬＲ）にこの手順を適用すると、前記第１の方法と同様に、通信サービスが中断してしまうという問題があった。これは、交換機がアクセスすべきロケーションレジスタを特定するために、加入者の電話番号の上位数桁のみを参照する仕組みになっているためである。また、この第２の方法では、移設元と移設先のどちらかが移設のための手順を持たない場合には、移設に先だって移設の機能を開発することが必要であるという問題があった。
【０００６】
本発明の目的は、前記した従来技術の問題点を除去し、データの移設中に通信サービスの停止を伴わない加入者データ移設装置および方法を提供するにある。また、他の目的は、移設元のロケーションレジスタが加入者データ移設の手順を全く持たない場合であっても、該ロケーションレジスタに新たな機能を追加せずに、移設先のロケーションレジスタの機能により、加入者データの移設をすることのできる加入者データ移設装置および方法を提供するにある。さらに他の目的は、網のリソース（ロケーションレジスタのＣＰＵ処理時間Ｔ、信号網のトラヒック等）に大きな負担を与えない加入者データ移設装置および方法を提供するにある。
【０００７】
【課題を解決するための手段】
前記した目的を達成するために、この発明は信号網に接続された移設元のロケーションレジスタに記憶されている加入者データを、移設先のロケーションレジスタに転送する加入者データ移設装置であって、前記移設先のロケーションレジスタは、加入者の電話番号毎または番号帯と、移設元であるロケーションレジスタとを関係付ける信号網アドレスと、該信号網アドレスに基づいて移設元ロケーションレジスタをアクセスする手段と、該移設元ロケーションレジスタから得た加入者データを記憶する手段とを具備した点に第１の特徴がある。
【０００８】
また、この発明は移設元のロケーションレジスタに記憶されている加入者データを移設先のロケーションレジスタへ移設する加入者データ移設方法であって、該移設先のロケーションレジスタは加入者データの読出要求または更新要求がある毎に移設元のロケーションレジスタをアクセスし、該移設元のロケーションレジスタから受信した加入者データを自身の記憶装置に記憶するようにした点に第２の特徴がある。
【０００９】
この発明によれば、移設先のロケーションレジスタに加入者データの読出要求または更新要求がある毎に、移設元のロケーションレジスタから移設先のロケーションレジスタへの加入者データの移設をすることができる。このため、データの移設中に通信サービスの停止をすることなく、また網のリソースに大きな負担をかけることなく、加入者データの移設を実施することができる。
【００１０】
【発明の実施の形態】
以下に、図面を参照して、本発明を詳細に説明する。図１は、本発明が実施される公衆移動体通信網の概要を示すシステム図である。公衆移動体通信網は、図示されているように、複数個の端末１ａ〜１ｃ、複数個の基地局２ａ〜２ｃ、該基地局２ａ〜２ｃ間の通話回線３ａ〜３ｃと接続され、通話データの交換を行う交換機４、該交換機４と信号回線５で接続された信号網６、および該信号網に信号回線を介して接続された１個または複数個のロケーションレジスタ７、８から構成されている。なお、該ロケーションレジスタは、独立した装置として設置されたり、交換機と同一の装置内に内蔵されたりすることもある。
【００１１】
次に、本発明の加入者データ移設装置および方法の一実施形態を詳細に説明する。まず、加入者データを移設する前の公衆移動体通信網の状態を、図２を参照して説明する。なお、図２には本発明の主要な構成のみが示されている。図中の符号は、図１と同一または同等物を示す。
【００１２】
図２の交換機４は、加入者の電話番号の上位何桁かを基にして、アクセスすべきロケーションレジスタ７または８の信号網アドレスを決定するための、データテーブル１０を有している。交換機４は、ロケーションレジスタ７または８に格納されている加入者データの読出または更新が必要になると、前記データテーブル１０を参照して、当該加入者の電話番号からアクセス先のロケーションレジスタ、例えばロケーションレジスタ７を決定し、加入者データ読出要求または更新要求Ａを送信する。ロケーションレジスタ７は、交換機４からの読出要求または更新要求Ａがあると、加入者データの返送または更新の応答Ｂを行う。
【００１３】
次に、何らかの理由で、既設のロケーションレジスタ、例えばロケーションレジスタ７を廃棄する場合には、図３に示されているように、信号網６に新たなロケーションレジスタ１１が接続される。そして、既設のロケーションレジスタ７から新設のロケーションレジスタ１１へ、加入者データの移設が行われる。なお、該ロケーションレジスタ１１の信号網６への接続時に、既存のロケーションレジスタ７に加入者データの移設機能を追加しても良いし、該ロケーションレジスタ１１として、加入者データの移設機能をもつものを使用するようにしてもよい。後者の加入者データの移設機能は、新設のロケーションレジスタ１１に、加入者の電話番号毎または番号帯毎に、移設元であるロケーションレジスタ７の信号網アドレスを記憶させると共に、後述する機能（図４、図５参照）を持たせることにより実現できる。新設のロケーションレジスタ１１として、該移設機能をもつものを使用した場合には、前記既設のロケーションレジスタ７が加入者データ移設の手順を全く持たない場合であっても、加入者データの移設をすることができるようになる。
【００１４】
さて、前記ロケーションレジスタ１１が新設されると、交換機４はデータテーブル１０の前記電話番号に対応するアドレスＡをロケーションレジスタ１１のアドレスＣに書き替える。これにより、交換機４から前記電話番号で加入者データの読出要求または更新要求があると、交換機４はまず移設先のロケーションレジスタ１１をアクセスする。そうすると、該移設先のロケーションレジスタ１１は内部データベース１１ａをアクセスし、該当する加入者データが存在するか否かの判断をする。そして、この判断が肯定の時には、該加入者データを交換機４に返送する。また、交換機４からの要求が更新要求の場合には、何もせずに終了する。
【００１５】
一方、移設先のロケーションレジスタ１１の内部データベース１１ａに要求された加入者データが存在しなかった場合には、ロケーションレジスタ１１は、前記移設元のロケーションレジスタの信号網アドレスを参照して、移設元のロケーションレジスタ７に加入者データの読出要求をする。ロケーションレジスタ７は内部データベース７ａをアクセスし、読出したデータを移設先のロケーションレジスタ１１に送信する。そこで、該ロケーションレジスタ１１は受け取ったデータを自身の内部データベース１１ａに格納すると共に、交換機４に送信する。このように、本実施形態によれば、移設元にある加入者データは、当該加入者の発着信を契機にして、移設先にコピーされる。
【００１６】
ここで、交換機４から加入者データ読出要求があった場合の、移設先ロケーションレジスタ１１の動作を、図４を参照して説明する。ステップＳ１では、交換機４から加入者データの読出要求を受信する。そうすると、該移設先ロケーションレジスタ１１は内部データベース１１ａにアクセス要求をする。ステップＳ３およびＳ４では、該内部データベース１１ａからアクセス応答があり、該当するデータが存在しない場合にはステップＳ３からステップＳ５に進む。一方、該当するデータが存在した場合には、ステップＳ４からステップＳ８へ進む。
【００１７】
ステップＳ５では、移設先ロケーションレジスタ１１は移設元ロケーションレジスタ７に加入者データの読出要求を出す。次に、ステップＳ６に進み、移設元ロケーションレジスタ７から加入者データの読出応答を受けると、移設先ロケーションレジスタ１１はステップＳ７にて該加入者データを内部データベース１１ａに挿入（コピー）する。続いて、ステップＳ８にて、該加入者データを交換機４へ送出する。なお、前記ステップＳ５の読出要求に対して、移設元ロケーションレジスタ７から送られてきたデータがエラーであった場合には、ステップＳ１０にて、交換機４に不成功であった旨の通知をする。
【００１８】
次に、交換機４から加入者データ更新要求があった場合の、移設先ロケーションレジスタ１１の動作を、図５を参照して説明する。ステップＳ１１〜Ｓ１６は、図４のステップＳ１〜Ｓ６と同じであるので、説明を省略する。
【００１９】
ステップＳ１７、Ｓ１８では、移設先ロケーションレジスタ１１は内部データベース１１ａのデータの更新を反映して、移設元ロケーションレジスタ７から受信したデータを内部データベース１１ａに挿入する。一方、ステップＳ１９では、内部データベース１１ａに既に存在する加入者データを移設元ロケーションレジスタ７から受信したデータに更新する。ステップＳ２０では、更新に用いた前記加入者データを交換機４に送出する。なお、ステップＳ２１、Ｓ２２は図４のステップＳ９、Ｓ１０と同じである。
【００２０】
さて、前記の移設動作において、移設先のロケーションレジスタ１１に交換機４から要求された加入者データがない場合、それが移設元ロケーションレジスタ７からの移設が未実施であるためであるか、あるいは加入者が存在しないためであるかを明確に区別し、移設先のロケーションレジスタ１１から移設元のロケーションレジスタ７への無効なアクセスを減らすことが必要である。そこで、本実施形態では、これを実現するために、移設先ロケーションレジスタ１１の内部データベース７ａに、加入者毎に、移設する行為が未実施であるかあるいは既に実施されたかどうかを表すフラグを付加する。後者の場合には、例えば「移設済み」のフラグを使用する。
【００２１】
すなわち、図６に示されているように、移設先ロケーションレジスタ１１は、移設元ロケーションレジスタ７から加入者データの読出を行うと、実際に加入者データが返送されたか、あるいは該当する加入者データが存在しなかったかに関わらず、該加入者データのフラグを「移設済み」に設定する。このようにすることにより、移設元に加入者データが存在しないがために移設先ロケーションレジスタ１１にコピーされなかった場合で、再度交換機４から加入者データの読出要求があった場合に、再度移設先ロケーションレジスタ１１が移設元ロケーションレジスタ７をアクセスするという無効な動作が繰り返されるのを防止することができる。
【００２２】
図３で説明した加入者データ読出し要求または更新要求の動作がしばらくの期間繰り返し行われて、図７に示されているように、移設元の加入者データが全て移設先のロケーションレジスタ１１の内部データベース１１ａにコピーされると、それ以降は交換機４は該ロケーションレジスタ１１のみにアクセスするようになる。この結果、移設元のロケーションレジスタ７は不要となり、廃棄される。
【００２３】
次に、本発明の第２の実施形態について説明する。前記した実施形態では、加入者の発着信がないと、加入者データの移設が行われず、移設元のロケーションレジスタ７に残ることになる。この第２の実施形態は、この問題を解決したものであり、移設先のロケーションレジスタ１１は、網リソースの空き時間を使用して、自律的に移設元のロケーションレジスタ７にアクセスし、まだ移設の行われていない加入者データの移設を行う。この移設動作を起動する契機や、連続して移設する加入者データの件数等は、網の条件に応じて自由に規定することができる。
【００２４】
なお、前記の説明では、移設元のロケーションレジスタ７を廃棄する場合であったが、本発明はこれに限定されず、該ロケーションレジスタ７の負担を軽くするために、該ロケーションレジスタ７に格納されている加入者データの一部を新設のロケーションレジスタ１１に分割する場合であってもよい。
【００２５】
【発明の効果】
以上の説明から明らかなように、この発明によれば、移設先のロケーションレジスタは加入者データの読出または更新要求がある毎に、移設元のロケーションレジスタをアクセスして、加入者データを受信し、これを自身の記憶装置に移設するようにしているので、通信サービスを停止することなく、加入者データの移設を実施することができる。また、移設元ロケーションレジスタにアクセスした時は、その加入者に例えば移設済みのフラグを立てるようにしているので、無効なアクセスが繰り返されることを防止することができる。
【００２６】
また、本発明によれば、移設先のロケーションレジスタに、加入者の電話番号毎または番号帯毎に、移設元であるロケーションレジスタの信号網アドレスを記憶させるようにしたので、移設元のロケーションレジスタに加入者データ移設の機能を持たせなくても、加入者データの移設を実施することができる。さらに、本発明によれば、網のリソースに大きな負担をかけることなく、加入者データの移設を実施することができる。
【００２７】
さらに、加入者データの移設の機能を、移設先のロケーションレジスタ装置のみに追加すればよく、実現コストが低減され、ひいては通信サービス料金の低減につながる。
【図面の簡単な説明】
【図１】  本発明が適用される公衆移動体通信網の概略の構成を示すシステム図である。
【図２】  本発明の主要部分の構成と、交換機とロケーションレジスタ間のデータの送受信動作を説明する図である。
【図３】  本発明の一実施形態の動作を説明する図である。
【図４】  本発明の移設先ロケーションレジスタの加入者データ読出時の動作を説明するフローチャートである。
【図５】  前記移設先ロケーションレジスタの加入者データ更新時の動作を説明するフローチャートである。
【図６】  前記移設先ロケーションレジスタの無効アクセスを防止する一手法の説明図である。
【図７】  加入者データ移設終了後の交換機とロケーションレジスタ間のデータの送受信動作を説明する図である。
【符号の説明】
４…交換機、５…信号回線、６…信号網、７…移設元ロケーションレジスタ、１０…データテーブル、１１…移設先ロケーションレジスタ、１１ａ…内部データベース。
【図１】
0003638059.tif 000002
【図２】
0003638059.tif 000003
【図３】
0003638059.tif 000004
【図７】
0003638059.tif 000005
【図４】
0003638059.tif 000006
【図５】
0003638059.tif 000007
【図６】
0003638059.tif 000008